【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
複数の医用画像、及び当該複数の医用画像についての付帯情報が格納される外部の記憶媒体を接続するための接続部と、
前記接続部に接続された外部の記憶媒体に格納されている複数の医用画像のうち、検査対象画像と比較画像とを位置合わせを伴って同時表示する機能についての要件を満たす医用画像を、前記付帯情報に基づいて特定する判定部と、
前記接続部に接続された外部の記憶媒体に格納されている複数の医用画像のうち前記比較画像の候補となる複数の医用画像を含むリストを、前記特定された医用画像を考慮して表示する表示部と、
前記リストに含まれる医用画像のうち操作者によって選択された医用画像を、前記比較画像として前記接続部に接続された外部の記憶媒体から取り込む取込部と、
を具備する医用画像処理装置。
【請求項２】
前記判定部は、前記機能を有するか否かを判定し、有する場合、前記記憶媒体に格納されている複数の医用画像のうち、前記機能についての要件を満たす医用画像を特定し、
前記判定部により前記機能を有すると判定された場合、前記記憶媒体に格納されている複数の医用画像のうち、前記比較画像の候補となる複数の医用画像を決定する決定部をさらに具備し、
前記リストは、前記決定された複数の医用画像が優先的に配列されている請求項１記載の医用画像処理装置。
【請求項３】
前記リストは、前記機能において利用された回数の多い順に複数の医用画像が配列されたリストである請求項１又は２に記載の医用画像処理装置。
【請求項４】
前記決定部は、前記接続部に接続された外部の記憶媒体に格納されている複数の医用画像のうち、過去に前記機能において前記比較画像として用いられた実績のある医用画像の付帯情報に含まれる機種名と一致する付帯情報を有する医用画像を前記比較画像の候補となる医用画像として決定する請求項２に記載の医用画像処理装置。
【請求項５】
前記決定部は、前記接続部に接続された外部の記憶媒体に格納されている複数の医用画像のうち、前記医用画像の付帯情報に含まれる撮像部位が前記検査対象画像の撮像部位と一致する付帯情報を有する医用画像を前記比較画像の候補となる医用画像として決定する請求項２に記載の医用画像処理装置。
【請求項６】
前記決定部は、前記外部の記憶媒体に格納されている複数の医用画像のうち、前記医用画像の付帯情報に含まれる当該医用画像の種別が、前記検査対象画像の付帯情報に含まれる種別に予め関連づけられた他の種別と一致する付帯情報を有する医用画像を前記比較画像の候補となる医用画像として決定する請求項２に記載の医用画像処理装置。
【請求項７】
前記決定部は、前記接続部に接続された外部の記憶媒体に格納されている複数の医用画像のうち、前記医用画像の付帯情報に含まれる撮像日が前記検査対象画像の対象である被検体の過去の治療日と一致する付帯情報を有する医用画像を前記比較画像の候補となる医用画像として決定する請求項２に記載の医用画像処理装置。
【請求項８】
対象とする被検体の過去の治療と当該治療において前記比較画像として利用された医用画像とを関連づけた治療履歴表を保持する保持部をさらに備え、
前記決定部は、前記治療履歴表に基づいて前記接続部に接続された外部の記憶媒体に格納されている複数の医用画像から前記比較画像の候補となる医用画像を決定する請求項２に記載の医用画像処理装置。
【請求項９】
前記決定部は、前記外部の記憶媒体に格納されている複数の医用画像のうち、前記治療履歴表に記される前記比較画像として利用された実績のある医用画像を前記比較画像の候補となる医用画像として決定する請求項８に記載の医用画像処理装置。
【請求項１０】
過去に前記機能において利用された比較画像を撮像した撮像装置の機種名と、当該撮像装置によって撮像された医用画像が前記機能において利用された回数とを対応づけて保持する保持部を更に具備し、
前記医用画像の付帯情報は、当該医用画像を撮像した撮像装置の機種名を含み、
前記決定部は、前記接続部に接続された外部の記憶媒体に格納されている医用画像の付帯情報に含まれる機種名が前記保持部に保持されている場合、当該医用画像を前記比較画像の候補として決定し、
前記表示部は、前記決定された医用画像を、当該医用画像の付帯情報に含まれる機種名に対応づけて前記保持部に保持されている前記回数の多い順に表示する請求項２に記載の医用画像処理装置。
【請求項１１】
前記医用画像の付帯情報は、当該医用画像の撮像部位を含み、
前記決定部は、前記検査対象画像の撮像部位が前記接続部に接続された外部の記憶媒体に格納されている医用画像の付帯情報に含まれる撮像部位と一致する場合、当該医用画像を前記比較画像の候補として決定する請求項２に記載の医用画像処理装置。
【請求項１２】
前記医用画像の付帯情報は、当該医用画像の種別を含み、
前記決定部は、前記検査対象画像の種別に対して予め定められている他の種別が前記接続部に接続された外部の記憶媒体に格納されている医用画像の付帯情報に含まれる当該医用画像の種別と一致する場合、当該医用画像を前記比較画像の候補として決定する請求項２に記載の医用画像処理装置。
【請求項１３】
対象とする被検体の過去の治療日を保持する保持部を更に具備し、
前記医用画像の付帯情報は、当該医用画像が撮像された撮像日を含み、
前記決定部は、前記保持部に保持されている治療日が前記外部の記憶媒体に格納されている医用画像の付帯情報に含まれる撮像日と一致する場合、当該医用画像を前記検査対象画像と同時表示される前記比較画像の候補として決定する請求項２に記載の医用画像処理装置。
【請求項１４】
前記表示部は、前記リストを、前記特定された医用画像を削除して表示する請求項１又は２に記載の医用画像処理装置。
【請求項１５】
前記機能は、フュージョン機能である請求項１乃至１４のいずれかに記載の医用画像処理装置。
【請求項１６】
超音波プローブを介して被検体に対して超音波を送受信することによって得られるエコー信号に基づいて超音波画像を生成する超音波診断装置において、
複数の医用画像、及び当該複数の医用画像についての付帯情報が格納される外部の記憶媒体を接続するための接続部と、
前記超音波画像と他モダリティにおいて撮影された比較画像とを位置合わせを伴って同時表示する機能についての要件を満たす医用画像を、前記付帯情報に基づいて特定する判定部と、
前記接続部に接続された外部の記憶媒体に格納されている複数の医用画像のうち前記比較画像の候補となる複数の医用画像を含むリストを、前記特定された医用画像を考慮して表示する表示部と、
前記リストに含まれる医用画像のうち操作者によって選択された医用画像を、前記接続部に接続された外部の記憶媒体から取り込む取込部と、
を具備する超音波診断装置。
【請求項１７】
検査対象画像と同時表示される比較画像を医用画像処理装置に取り込む医用画像取込方法であって、
複数の医用画像、及び当該複数の医用画像についての付帯情報が格納された外部の記憶媒体が前記医用画像処理装置に接続された場合に、前記接続された外部の記憶媒体に格納されている複数の医用画像のうち、検査対象画像と比較画像とを位置合わせを伴って同時表示する機能についての要件を満たす医用画像を、前記付帯情報に基づいて特定し、
前記接続された外部の記憶媒体に格納されている複数の医用画像のうち前記比較画像の候補となる複数の医用画像を含むリストを、前記特定された医用画像を考慮して表示し、
前記リストに含まれる医用画像のうち操作者によって選択された医用画像を、前記接続された外部の記憶媒体から取り込む、
ことを具備する医用画像取込方法。